(57)【要約】【課題】表示パネルの狭ベゼル化に伴って発生し得る各種の問題を解決ないし軽減する。【解決手段】検出領域内におけるアクティブペンの位置を検出するためのＩＣに接続されるセンサパネル５であって、ｘ方向に延在し、ｙ方向に並べて配設される複数の線状電極５ｙと、複数の線状電極５ｙのそれぞれに対応して設けられ、対応する線状電極５ｙに接続される複数の配線Ｌｙと、複数の配線Ｌｙのそれぞれに対応して設けられ、対応する配線Ｌｙとセンサコントローラとを互いに接続する複数のＦＰＣ接続端子とを備え、複数の配線Ｌｙはそれぞれ、検出領域とｘ方向に隣接する領域５ｂｘ内に、第１のピッチＰ１で平行に延設された大ピッチ部分と、前記第１のピッチＰ１より小さい第２のピッチＰ２で平行に延設された小ピッチ部分とを有する。大ピッチ部分においては、線幅が小ピッチ部分よりも大きい値に設定される。【選択図】図３
2020123395.tif 000002
【特許請求の範囲】
【請求項１】
検出領域内におけるアクティブペンの位置を検出するためのＩＣに接続されるセンサパネルであって、
それぞれ前記検出領域内の第１の方向に延在し、前記検出領域内において前記第１の方向と交差する第２の方向に並べて前記検出領域内に配設される複数の第１の電極と、
前記複数の第１の電極のそれぞれに対応して設けられ、対応する前記第１の電極に接続される複数の第１の配線と、
前記複数の第１の配線のそれぞれに対応して設けられ、対応する前記第１の配線と前記ＩＣとを互いに接続する複数の第１の端子とを備え、
前記複数の第１の配線は、前記検出領域と前記第１の方向に隣接する第１の配線領域内に、第１のピッチで平行に延設された大ピッチ部分と、前記第１のピッチより小さい第２のピッチで平行に延設された小ピッチ部分とを有し、
前記大ピッチ部分においては、線幅が前記小ピッチ部分よりも大きい値に設定される、
センサパネル。
【請求項２】
検出領域内におけるアクティブペンの位置を検出するためのＩＣに接続されるセンサパネルであって、
それぞれ前記検出領域内の第１の方向に延在し、前記検出領域内において前記第１の方向と交差する第２の方向に並べて前記検出領域内に配設される複数の第１の電極と、
前記複数の第１の電極のそれぞれに対応して設けられ、対応する前記第１の電極に接続される複数の第１の配線と、
前記複数の第１の配線のそれぞれに対応して設けられ、対応する前記第１の配線と前記ＩＣとを互いに接続する複数の第１の端子とを備え、
前記複数の第１の配線は、前記検出領域と前記第１の方向に隣接する第１の配線領域内に、第１のピッチで平行に延設された大ピッチ部分と、前記第１のピッチより小さい第２のピッチで平行に延設された小ピッチ部分とを有し、
前記大ピッチ部分のうち前記第２の方向に延設された部分の線間スペースは、前記小ピッチ部分のうち前記第２の方向に延設された部分の線間スペースよりも大きい値に設定される、
センサパネル。
【請求項３】
前記大ピッチ部分及び小ピッチ部分は、前記複数の第１の配線のうち前記第２の方向に延設された部分に設けられる、
請求項１又は２に記載のセンサパネル。
【請求項４】
前記小ピッチ部分は、前記大ピッチ部分に比べて前記複数の第１の端子に近い位置に形成される、
請求項１乃至３のいずれか一項に記載のセンサパネル。
【請求項５】
前記大ピッチ部分及び前記小ピッチ部分のそれぞれにおける線幅と線間スペースの比率は、前記大ピッチ部分と前記小ピッチ部分とで単位長さ当たりの配線間容量が実質的に同じ値となるように設定される、
請求項１乃至４のいずれか一項に記載のセンサパネル。
【請求項６】
それぞれ前記第２の方向に延在し、前記第１の方向に並べて前記検出領域内に配設される複数の第２の電極と、
前記複数の第２の電極のそれぞれに対応して設けられ、対応する前記第２の電極に接続される複数の第２の配線と、
前記複数の第２の配線のそれぞれに対応して設けられ、対応する前記第２の配線と前記ＩＣとを互いに接続する複数の第２の端子とを備え、
前記複数の第２の配線は、前記検出領域と前記第２の方向に隣接する第２の配線領域内に、前記大ピッチ部分及び前記小ピッチ部分を有する、
請求項１乃至５のいずれか一項に記載のセンサパネル。
【請求項７】
前記複数の第１の配線は、前記第２の配線領域内に、前記大ピッチ部分及び前記小ピッチ部分をさらに有する、
請求項６に記載のセンサパネル。
【請求項８】
請求項１に記載のＩＣと、
請求項１に記載のセンサパネルと、
を含む入力装置。
【請求項９】
請求項８に記載の入力装置と、
前記入力装置から座標が入力されたことを受けて、ポインタの表示及びインクデータの生成の少なくとも一方を行うホストコントローラと、
を含む電子機器。
【請求項１０】
請求項２に記載のＩＣと、
請求項２に記載のセンサパネルと、
を含む入力装置。
【請求項１１】
請求項１０に記載の入力装置と、
前記入力装置から座標が入力されたことを受けて、ポインタの表示及びインクデータの生成の少なくとも一方を行うホストコントローラと、
を含む電子機器。
【発明の詳細な説明】
【技術分野】
【０００１】
本発明はペンが送信したペン信号を検出するためのセンサパネルに関し、特に、表示パネルと重畳して配置されたセンサパネルに関する。
【背景技術】
【０００２】
指やスタイラスの位置を検出する機能を有するタブレット型の電子機器においては、表示パネル上にセンサパネルが配置される。センサパネルは、それぞれＹ方向に延在し、Ｘ方向に等間隔で配置された複数のＸ電極と、それぞれＸ方向に延在し、Ｙ方向に等間隔で配置された複数のＹ電極とを含む複数の線状電極を有して構成される。表示パネルのベゼル領域内にはこの複数の線状電極のそれぞれに対応して複数のＦＰＣ(Flexible Printed Circuits)接続端子及び配線が設けられており、各配線により、対応する線状電極とＦＰＣ接続端子とが電気的に接続される。各ＦＰＣ接続端子は、圧着によりフレキシブルプリント回路基板上の端子と接続され、このフレキシブルプリント回路基板上の配線を通じて制御用のＩＣ(Integrated Circuit)に接続される。
【０００３】
また、スタイラスの一種として、アクティブペンが知られている。アクティブペンは、電源部と信号処理回路とを備え、信号処理回路の生成する信号に応じた電荷をペン先付近に設けられた電極（ペン電極）に供給することにより、ペン信号を送信可能に構成されたスタイラスである。ペン信号には、自身の位置を知らせるためのバースト信号である位置信号と、アクティブペンが検出した筆圧の値を示す筆圧データ、アクティブペンの側面や末端に設けられる操作ボタンのオンオフ状態を示すデータ、及び、アクティブペンに予め書き込まれた固有ＩＤなどの各種データを含むデータ信号とが含まれる。アクティブペンの検出時においては、センサパネル内の複数の線状電極のうちペン先の近傍にあるものでペン信号が受信され、上記したＦＰＣ接続端子を介してＩＣに供給される。ＩＣは、各Ｘ電極におけるペン信号の受信レベルに基づいてアクティブペンのＸ座標を決定し、各Ｙ電極におけるペン信号の受信レベルに基づいてアクティブペンのＹ座標を決定することにより、タッチ面内におけるアクティブペンの位置を検出する。
【０００４】
特許文献１には、指とアクティブペンの両方を検出可能な位置検出装置が開示されている。この位置検出装置では、複数の電極の受信信号を差動増幅器に入力し、この差動増幅器の出力信号の受信レベルに基づいて指又はアクティブペンの位置を判定することにより、外来ノイズによる影響を除去している。以下、このように差動増幅器を用いて行う位置検出の方法を「差動法」と称する。
【０００５】
また、特許文献２には、センサパネルの構成の一例が開示されている。
【先行技術文献】
【特許文献】
【０００６】
【特許文献１】特開２０１４−０６３２４９号公報
【特許文献２】米国特許出願公開第２０１３／０３１９１３７号明細書
【発明の概要】
【発明が解決しようとする課題】
【０００７】
ところで、近年は表示パネルの狭ベゼル化が進展しており、センサパネル用の配線を設置できる領域が狭くなっている。その結果、以下に述べるような各種の問題が発生しており、改善が求められている。
【０００８】
例えば、ベゼル領域が狭くなると、センサパネル用の配線の一部をベゼル領域内に配置される導電性部品（表示パネルのメタルフレーム、無線ＬＡＮのアンテナケーブル、カメラモジュールなど）と重畳する位置に配置せざるを得ない場合が生じ得る。そのような場合、配線と導電性部品との間に静電容量が発生し、配線を流れる電流の一部が導電性物質側に流れるので、配線ごとに導電性部品との重なりの程度が異なると、ＩＣに供給されるペン信号の分布から均一性が損なわれる可能性がある。
【０００９】
また、ベゼル領域の狭ベゼル化の程度によっては、センサパネル用配線のピッチを従来よりも小さくする必要が生ずる。そうすると、センサパネルの歩留まりの低下が懸念される。
【００１０】
さらに、ベゼル領域が狭くなって配線領域に余裕がなくなると、ベゼル領域内に電極を延設することが困難になる。そうすると、配線部分で受信されたペン信号をも位置検出に使用せざるを得なくなるので、表示領域の外縁近傍におけるアクティブペンの位置検出精度が低下する結果となる。
【００１１】
したがって、本発明の目的の一つは、表示パネルの狭ベゼル化に伴って発生し得る各種の問題を解決ないし軽減できるセンサパネルを提供することにある。
【課題を解決するための手段】
【００１２】
本発明の第１の側面によるセンサパネルは、検出領域内におけるアクティブペンの位置を検出するためのＩＣに接続されるセンサパネルであって、それぞれ前記検出領域内の第１の方向に延在し、前記検出領域内において前記第１の方向と交差する第２の方向に並べて前記検出領域内に配設される複数の第１の電極と、前記複数の第１の電極のそれぞれに対応して設けられ、対応する前記第１の電極に接続される複数の第１の配線と、前記複数の第１の配線のそれぞれに対応して設けられ、対応する前記第１の配線と前記ＩＣとを互いに接続する複数の第１の端子とを備え、前記複数の第１の配線はそれぞれ、対応する前記第１の電極に直接接続される第１の基幹線に対して０度でない角度をなして接続される第１のルーティング線を有し、前記複数の第１の配線それぞれに対応する前記第１の基幹線の長さは、互いに略等しい、センサパネルである。
【００１３】
本発明の第２の側面によるセンサパネルは、検出領域内におけるアクティブペンの位置を検出するためのＩＣに接続されるセンサパネルであって、それぞれ前記検出領域内の第１の方向に延在し、前記検出領域内において前記第１の方向と交差する第２の方向に並べて前記検出領域内に配設される複数の第１の電極と、前記複数の第１の電極のそれぞれに対応して設けられ、対応する前記第１の電極に接続される複数の第１の配線と、前記複数の第１の配線のそれぞれに対応して設けられ、対応する前記第１の配線と前記ＩＣとを互いに接続する複数の第１の端子とを備え、前記複数の第１の配線は、前記検出領域と前記第１の方向に隣接する第１の配線領域内に、第１のピッチで平行に延設された大ピッチ部分と、前記第１のピッチより小さい第２のピッチで平行に延設された小ピッチ部分とを有する、センサパネルである。
【００１４】
本発明の第３の側面によるセンサパネルは、検出領域内におけるアクティブペンの位置を検出するためのＩＣに接続されるセンサパネルであって、それぞれ前記検出領域内の第１の方向に延在し、前記検出領域内において前記第１の方向と交差する第２の方向に並べて前記検出領域内に配設される複数の第１の電極と、前記複数の第１の電極のそれぞれに対応して設けられ、対応する前記第１の電極に接続される複数の第１の配線と、前記複数の第１の配線のそれぞれに対応して設けられ、対応する前記第１の配線と前記ＩＣとを互いに接続する複数の第１の端子とを備え、前記複数の第１の配線はそれぞれ、前記第２の方向に見て、対応する前記第１の電極との接続点よりも前記複数の第１の端子から遠い領域に形成された延長線を含む、センサパネルである。
【００１５】
本発明の第４の側面によるセンサパネルは、検出領域内におけるアクティブペンの位置を検出するためのＩＣに接続されるセンサパネルであって、それぞれ前記検出領域内の第１の方向に延在し、前記検出領域内において前記第１の方向と交差する第２の方向に並べて前記検出領域内に配設される複数の第１の電極と、前記複数の第１の電極のそれぞれに対応して設けられ、対応する前記第１の電極に接続される複数の第１の配線と、前記複数の第１の配線のそれぞれに対応して設けられ、対応する前記第１の配線と前記ＩＣとを互いに接続する複数の第１の端子とを備え、前記複数の第１の配線はそれぞれ、対応する前記第１の電極に直接接続される第１の基幹線に対して０度でない角度をなして接続される第１のルーティング線を有し、前記複数の第１の配線それぞれに対応する前記第１の基幹線の長さは、互いに略等しく、前記複数の第１の配線は、前記検出領域と前記第１の方向に隣接する第１の配線領域内に、第１のピッチで平行に延設された大ピッチ部分と、前記第１のピッチより小さい第２のピッチで平行に延設された小ピッチ部分とを有し、前記複数の第１の配線はそれぞれ、前記第２の方向に見て、対応する前記第１の電極との接続点よりも前記複数の第１の端子から遠い領域に形成された延長線を含む、センサパネルである。
【発明の効果】
【００１６】
本発明の第１及び第４の側面によれば、複数の第１の配線それぞれの第１の基幹線の長さが互いに大きく異なる場合（例えば、特許文献２の図１に記載の構成）に比べ、複数の第１の配線のそれぞれと、ベゼル領域内に配置され得る導電性部品との重なりの程度を揃えることが可能になる。したがって、ＩＣに供給されるペン信号の分布から均一性が損なわれるという、表示パネルの狭ベゼル化に伴って発生し得る問題を、解決ないし軽減することが可能になる。
【００１７】
また、本発明の第２及び第４の側面によれば、スペースに余裕のある部分では、第２のピッチよりも大きい第１のピッチで複数の第１の配線を形成することが可能になる。したがって、センサパネルの歩留まりの低下が懸念されるという、表示パネルの狭ベゼル化に伴って発生し得る問題を、解決ないし軽減することが可能になる。
【００１８】
さらに、本発明の第３及び第４の側面によれば、アクティブペンが表示領域の外縁近傍にあり、第１の電極だけでなく第１の配線で受信されたペン信号をも位置検出に使用する場合であっても、第１の電極のみでペン信号を受信する場合と同等の電極間信号強度分布を得ることが可能になる。したがって、表示領域の外縁近傍におけるアクティブペンの位置検出精度が低下するという、表示パネルの狭ベゼル化に伴って発生し得る問題を、解決ないし軽減することが可能になる。
【図面の簡単な説明】
【００１９】
【図１】本発明の実施の形態による電子機器１及びアクティブペン１０の構成を示す模式図である。
【図２】図１に示したＡ−Ａ線に対応する電子機器１の断面図である。
【図３】図１に示したセンサパネル５の一部分を拡大した図である。
【図４】図１に示したセンサパネル５の一部分を拡大した図（ただし、図３に示したセンサパネル５の構成要素から本発明の第２及び第３の側面にかかる構成要素を取り除いた模式的なもの）である。
【図５】本発明の背景技術によるセンサパネル５の一部分を拡大した図である。
【図６】本発明の実施の形態の第１の変形例によるセンサパネル５の一部分を拡大した図である。
【図７】本発明の実施の形態の第２の変形例によるセンサパネル５の一部分を拡大した図である。
【図８】図４に示した構成に本発明の第３の側面による構成を加えてなるセンサパネル５の例を示す図である。
【図９】複数の配線Ｌｙ間に発生する容量を説明する図である。
【図１０】線幅及び線間スペースの比率と、複数の配線間に発生する容量との関係を示す図である。
【図１１】（ａ）は、図１に示したセンサパネル５の一部分を拡大した図（ただし、図３に示したセンサパネル５の構成要素から本発明の第２の側面にかかる構成要素を取り除いた模式的なもの）であり、（ｂ）は、（ａ）のセンサパネル５における電極間信号強度分布を示す図である。
【図１２】（ａ）は、図４にも示した本発明の実施の形態の第１の側面によるセンサパネル５の一部分を拡大した図であり、（ｂ）は、（ａ）のセンサパネル５における電極間信号強度分布を示す図である。
【図１３】図５に示した本発明の背景技術に本発明の第３の側面による構成を加えることによって構成したセンサパネル５の一部分を拡大した図である。
【図１４】本発明の実施の形態の第３の変形例によるセンサパネル５の一部分を拡大した図である。
【発明を実施するための形態】
【００２０】
以下、添付図面を参照しながら、本発明の実施の形態について詳細に説明する。
【００２１】
図１は、本発明の第１の実施の形態による電子機器１及びアクティブペン１０の構成を示す図である。また、図２は、図１に示したＡ−Ａ線に対応する電子機器１の断面図である。
【００２２】
本実施の形態による電子機器１は例えばタブレット型のコンピュータであり、図１に示すように、ホストコントローラ２、表示パネル３、センサコントローラ４、及びセンサパネル５を有して構成される。
【００２３】
ホストコントローラ２は、プロセッサ及びメモリ（ともに図示せず）を有するコンピュータであり、プロセッサがメモリに記憶されるプログラムを読み出して実行することにより、図示した表示パネル３及びセンサコントローラ４を含む電子機器１の各部の制御、描画用のアプリを含む各種のアプリの実行などの各種処理を行う。メモリには、ＤＲＡＭ(Dynamic Random Access Memory)などのメインメモリと、フラッシュメモリなどの補助記憶装置とが含まれる。
【００２４】
表示パネル３は、図２に示すように、複数の画素及びその駆動回路（ともに図示せず）を含む液晶モジュール２１と、液晶モジュール２１の側面及び下面を覆うメタルフレーム２２とを有する装置である。駆動回路は、ホストコントローラ２の制御を受けて各画素を駆動することによって、表示パネル３上に任意の表示を行う回路である。表示パネル３の具体的な例としては、液晶ディスプレイ、有機ＥＬディスプレイ、電子ペーパーなどが挙げられる。
【００２５】
表示パネル３の表面には、図１に示すように、表示領域３ａ及びベゼル領域３ｂが設けられる。表示領域３ａは液晶モジュール２１内の各画素がマトリクス状に配置される矩形の領域である。ベゼル領域３ｂは、表示領域３ａの外側を囲むように配置される領域であり、液晶モジュール２１内の駆動回路と、各画素を駆動回路に接続する配線（図示せず）とが配置される。
【００２６】
センサコントローラ４及びセンサパネル５は、ホストコントローラ２に対する入力装置である。このうちセンサパネル５は、図２に示すように、表示パネル３側から順に、ＯＣＡ(Optical Clear Adhesive) やＯＣＲ(Optical Clear Resin)などの透明粘着剤である粘着シート２３、フィルム２４、ＯＣＡである粘着シート２３、及びカバーガラス２６が積層された構成を有している。
【００２７】
フィルム２４の上面には、粘着シート２５によって、複数の線状電極５ｘと、各線状電極５ｘを後述するＦＰＣ接続端子Ｔに接続するための複数の配線Ｌｘ（図２には示していない）と、グランド電位などの特定の電位に接続される１以上のガード配線ＬＧとが固定される。また、フィルム２４の下面には、粘着シート２３によって、複数の線状電極５ｙと、各線状電極５ｙをＦＰＣ接続端子Ｔに接続するための複数の配線Ｌｙと、１以上のガード配線ＬＧとが固定される。必要な場合には、フィルム２４の上面に形成された配線と、フィルム２４の下面に形成された配線とを、フィルム２４を貫通するビア電極によって相互に接続することとしてもよい。
【００２８】
カバーガラス２６の上面は、アクティブペン１０又はユーザの指でタッチするための平面であるタッチ面２６ａを構成する。このカバーガラス２６を含むセンサパネル５の各構成部材は、すくなくとも表示領域３ａ内においては、ユーザがセンサパネル５を通して表示パネル３の表示領域３ａを観ることができるよう、透明材料あるいは光が透過するように配置密度が設計された非透明材料によって構成される。
【００２９】
センサパネル５の表面には、図１及び図２に示すように、検出領域５ａ及び配線領域５ｂが設けられる。検出領域５ａは、各複数の線状電極５ｘ，５ｙを用いた位置検出（詳しくは後述する）が可能となる矩形の領域であり、図１に示すように、表示領域３ａに比べて若干大きな面積となるように構成される。配線領域５ｂは、検出領域５ａの外側を囲むように配置される領域であり、その中に、上述した複数の配線Ｌｘ、複数の配線Ｌｙ、及び１以上のガード配線ＬＧと、これらをセンサコントローラ４に接続するための複数のＦＰＣ接続端子Ｔとが配置される。複数のＦＰＣ接続端子Ｔは、図１に示すように、長方形であるセンサパネル５のｘ方向に平行な一辺に沿って並べて配置される。
【００３０】
図１に示すように、複数の線状電極５ｘはそれぞれｙ方向（検出領域５ａ内の方向。第２の方向）に延在しており、ｘ方向（検出領域５ａ内においてｙ方向と交差（直交）する方向。第１の方向）に等間隔で配置される。また、複数の線状電極５ｙはそれぞれｘ方向に延在しており、ｙ方向に等間隔で配置される。複数の線状電極５ｘ，５ｙの一方を液晶モジュール２１内の共通電極（図示せず）と共用してもよく、そのように構成した電子機器１は「インセル型」と呼ばれる。なお、図１及び後掲の各図では、図面を分かりやすくするために各１７本の線状電極５ｘ，５ｙのみを示しているが、実際にはより多数の線状電極５ｘ，５ｙが配置される。
【００３１】
センサコントローラ４は、プロセッサ及びメモリ（ともに図示せず）を有するＩＣであり、図示しないフレキシブルプリント回路（ＦＰＣ）基板上に設けられる。このフレキシブルプリント回路基板は、センサパネル５の配線領域５ｂ内に配置された複数のＦＰＣ接続端子Ｔと圧着され、この圧着を通じて、センサコントローラ４とセンサパネル５内の各配線とが電気的に接続される。
【００３２】
センサコントローラ４は、機能的には、プロセッサがメモリに記憶されるプログラムを読み出して実行することにより、タッチ面２６ａ上におけるアクティブペン１０及びユーザの指（図示せず）の指示位置を検出するとともに、アクティブペン１０が送信したデータ信号を受信可能に構成される。アクティブペン１０の指示位置の検出は、静電容量方式又はアクティブ静電結合方式により実行される。また、ユーザの指の位置の検出は、静電容量方式により実行される。
【００３３】
静電容量方式は、複数の線状電極５ｘ，５ｙと、アクティブペン１０のペン先の近傍に設けられたペン電極（図示せず）又はユーザの指との間に生ずる静電容量の変化に基づいて、それぞれの指示位置を取得する方式である。静電容量方式による位置検出を行う場合、センサコントローラ４は、所定の検出用信号を複数の線状電極５ｘのそれぞれに順次供給し、その都度、複数の線状電極５ｙそれぞれの電位を測定する。ある線状電極５ｘと線状電極５ｙの交点にペン電極又はユーザの指が接近している場合、その線状電極５ｘからその線状電極５ｙに向かって流れる電流の一部がユーザの人体に向かって流れ出るため、その線状電極５ｙについて測定される電位が小さくなる。センサコントローラ４は、この電位の変化を利用して指示位置の検出を行う。
【００３４】
アクティブ静電結合方式は、アクティブペン１０が送信したペン信号をセンサパネル５により受信し、その結果に基づいてアクティブペン１０の指示位置を検出する方式である。ペン信号には、上述したように、無変調のバースト信号である位置信号と、アクティブペン１０に関連する各種データを示すデータ信号とが含まれる。各種データには、アクティブペン１０のペン先にかかる圧力を示す筆圧データなどが含まれる。
【００３５】
アクティブ静電結合方式による指示位置の検出を行う場合、センサコントローラ４は、複数の線状電極５ｘ，５ｙのそれぞれで位置信号を受信し、その結果に基づいてアクティブペン１０の指示位置を検出する。より具体的には、センサコントローラ４は、複数の線状電極５ｘのそれぞれで受信した位置信号の受信強度を所定の補間法を用いて補間することによって指示位置のｘ座標を導出し、かつ、複数の線状電極５ｙのそれぞれで受信した位置信号の受信強度を所定の補間法を用いて補間することによって指示位置のｙ座標を導出するよう構成される。また、センサコントローラ４は、複数の線状電極５ｘ，５ｙのうち検出した指示位置に最も近いものを用いて、アクティブペン１０が送出したデータ信号の検出を行う。
【００３６】
センサコントローラ４による指示位置の検出について、より詳しく説明する。本実施の形態によるセンサコントローラ４は、複数の線状電極５ｘ，５ｙにほぼ共通に発生するノイズ（例えば、表示パネル３で発生するノイズ）の影響を低減するため、上述した差動増幅器を用いる方法（差動法）により、アクティブペン１０及びユーザの指の指示位置を検出するよう構成される。
【００３７】
具体的に説明すると、まず静電容量方式による検出を行う場合、センサコントローラ４は、複数の線状電極５ｘのそれぞれに順次着目し、着目した線状電極５ｘを含む１以上の互いに隣接する線状電極５ｘに上記所定の検出用信号を供給し、その状態で、複数の線状電極５ｙのそれぞれに順次着目し、着目した線状電極５ｙと、着目した線状電極５ｙから所定本数（０本を含む）分離れて配置される他の線状電極５ｙとを、それぞれ差動増幅器の非反転入力端子と反転入力端子とに接続する。そして、差動増幅器の出力信号の電位により、アクティブペン１０又はユーザの指の指示位置の検出を行う。
【００３８】
次にアクティブ静電結合方式による検出を行う場合、センサコントローラ４は、例えばｘ座標の検出を行う際には、複数の線状電極５ｘのそれぞれに順次着目し、着目した線状電極５ｘと、着目した線状電極５ｘから所定本数分（０本を含む）離れて配置される他の線状電極５ｘとを、それぞれ差動増幅器の非反転入力端子と反転入力端子とに接続する。そして、差動増幅器の出力信号の電位により、アクティブペン１０の指示位置のｘ座標の検出を行う。同様に、例えばｙ座標の検出を行う際には、複数の線状電極５ｙのそれぞれに順次着目し、着目した線状電極５ｙと、着目した線状電極５ｙから所定本数（０本を含む）分離れて配置される他の線状電極５ｙとを、それぞれ差動増幅器の非反転入力端子と反転入力端子とに接続する。そして、差動増幅器の出力信号の電位により、アクティブペン１０の指示位置のｙ座標の検出を行う。
【００３９】
このような差動法を用いた検出によれば、静電容量方式及びアクティブ静電結合方式のいずれにおいても、差動増幅器が複数の線状電極５ｘ，５ｙに共通に発生するノイズをキャンセルする役割を果たすので、センサコントローラ４は、ノイズに影響されることなく正確に、指示位置を検出することが可能になる。
【００４０】
センサコントローラ４は、以上のようにして検出したアクティブペン１０及びユーザの指の指示位置を示す座標と、アクティブペン１０から受信したデータ信号に含まれる各種データとを、ホストコントローラ２に対してレポートするよう構成される。また、センサコントローラ４は、アクティブペン１０から受信される筆圧データに基づいて、アクティブペン１０がタッチ面に接触したことを示すペンダウン情報と、アクティブペン１０がタッチ面から離れたことを示すペンアップ情報との取得を行い、それぞれのタイミングでホストコントローラ２に対してレポートするよう構成される。
【００４１】
ホストコントローラ２は、センサコントローラ４から座標が入力されたことを受けて、ポインタの表示及びインクデータの生成の少なくとも一方を行う。このうちポインタの表示は、表示パネル３の表示領域３ａ上の入力された座標と対応する位置に、所定のポインタ画像を表示することによって行う。
【００４２】
インクデータは、センサコントローラ４から順次供給される複数の座標のそれぞれによって構成される制御点と、各制御点の間を所定の補間曲線によって補間してなる曲線データとを含むデータである。ホストコントローラ２は、ユーザの指については、座標の入力が開始されたことを契機としてインクデータの生成を開始し、座標の入力が終了したことを契機としてインクデータの生成を終了する。一方、アクティブペン１０については、ペンダウン情報が入力されたことを契機としてインクデータの生成を開始し、ペンアップ情報が入力されたことを契機としてインクデータの生成を終了する。なお、アクティブペン１０についてインクデータを生成する際には、ホストコントローラ２は、アクティブペン１０から受信される筆圧データなどに基づき、インクデータを構成する曲線データの幅及び／又は透明度の制御も行う。ホストコントローラ２は、生成したインクデータのレンダリングを行って表示パネル３に表示させるとともに、生成したインクデータを自身のメモリに記憶させる。
【００４３】
図３は、図１に示したセンサパネル５の約半分を拡大してなる図である。図示していない部分は、ｘ方向の中心線を対称軸として、図示した部分と線対称な構成を有している。
【００４４】
図３に示すように、複数の配線Ｌｘ（第２の配線）は複数の線状電極５ｘのそれぞれに対応して設けられ、対応する線状電極５ｘのｙ方向の一端に接続される。また、複数の配線Ｌｙ（第１の配線）は複数の線状電極５ｙのそれぞれに対応して設けられ、対応する線状電極５ｙのｘ方向の一端に接続される。なお、図３の例では１つの線状電極５ｙに対して２本の配線Ｌｙが設けられており、この２本の配線Ｌｙはそれぞれ、対応する線状電極５ｙのｘ方向の一端及び他端に接続される。ただし、配線Ｌｘと同様に、１つの線状電極５ｙに対して１本の配線Ｌｙを設けることとしてもよい。
【００４５】
複数の配線Ｌｘ，Ｌｙはそれぞれ、対応する線状電極との接続点の近傍を除き、基本的には等ピッチで平行に延設される。このように平行に延設するのは、隣接する配線間に発生する静電容量を均一にするためである。なお、図３の例では、配線Ｌｘ，Ｌｙのそれぞれにつき、第１のピッチＰ１（＝線幅Ｗ１＋線間スペースＳ１）で延設される部分（符号Ａ，Ｂで示した部分）と、第１のピッチＰ１より小さい第２のピッチＰ２（＝線幅Ｗ２＋線間スペースＳ２）で延設される部分（符号Ａ，Ｂで示した部分以外の部分）とを設けているが、これは本発明の第２の側面に関わる本発明に特徴的な構成であり、後ほど詳細に説明する。
【００４６】
複数のＦＰＣ接続端子Ｔは、複数のＦＰＣ接続端子Ｔｘ（第２の端子）と、複数のＦＰＣ接続端子Ｔｙ（第１の端子）と、複数のＦＰＣ接続端子ＴＧとを含んで構成される。複数のＦＰＣ接続端子Ｔｘは、複数の配線Ｌｘのそれぞれに対応して設けられ、対応する配線Ｌｘに接続される。複数のＦＰＣ接続端子Ｔｙは、複数の配線Ｌｙのそれぞれに対応して設けられ、対応する配線Ｌｙに接続される。複数のＦＰＣ接続端子ＴＧはそれぞれ、いずれかのガード配線ＬＧに接続される。
【００４７】
複数のＦＰＣ接続端子Ｔｘは、図３に示した領域５ｂｙ（配線領域５ｂのうち検出領域５ａとｙ方向に隣接する領域。第２の配線領域）のｘ方向中央に、等間隔で配置される。また、複数のＦＰＣ接続端子Ｔｙは、複数のＦＰＣ接続端子Ｔｘのｘ方向両側に、線状電極５ｙの本数と同じ数ずつ等間隔に配置される。ＦＰＣ接続端子ＴＧは、一連のＦＰＣ接続端子Ｔｘのｘ方向両側、及び、一連のＦＰＣ接続端子Ｔｙのｘ方向両側に、それぞれ１つ以上配置される。複数のＦＰＣ接続端子Ｔがこのように配置されていることから、複数の配線Ｌｘは領域５ｂｙのみに延設され、一方で、複数の配線Ｌｙは、図３に示した領域５ｂｘ（配線領域５ｂのうち検出領域５ａとｘ方向に隣接する領域。第１の配線領域）から領域５ｂｙにかけて延設される。
【００４８】
以下、本発明の第１〜第３の側面による実施の形態について、順次説明する。
【００４９】
本発明の第１の側面は、表示パネル３の狭ベゼル化に伴い、センサコントローラ４に供給されるペン信号の分布から均一性が損なわれる場合が生ずる、という問題を解決するものである。以下、図３〜図５を参照しながら、本発明の第１の側面による実施の形態について説明する。
【００５０】
初めに、本発明の第１の側面に対応する背景技術の課題について、詳しく説明する。
【００５１】
図５は、本発明の背景技術によるセンサパネル５の一部分を拡大した図である。同図に示すように、背景技術によるセンサパネル５に設けられる複数の配線Ｌｙはそれぞれ、対応する線状電極５ｙに直接接続される基幹線Ｌｙ＿ｃに対して０度でない角度（具体的には９０度）をなして接続されるルーティング線Ｌｙ＿ｒを有して構成される。なお、基幹線Ｌｙ＿ｃも配線Ｌｙの一部である。各ルーティング線Ｌｙ＿ｒはｙ方向に平行な直線によって構成され、これにより、複数の配線Ｌｙを等ピッチで平行に延設することが実現されている。
【００５２】
背景技術においては、図５に示すように、各基幹線Ｌｙ＿ｃの長さが配線Ｌｙごとに異なっている。より具体的には、接続される線状電極５ｙが図２に示した領域５ｂｙに近い配線Ｌｙ（図示した配線Ｌｙ１）から遠い配線Ｌｙ（図示した配線Ｌｙ７）にかけて、基幹線Ｌｙ＿ｃの長さが順に長くなっている。これは、各ルーティング線Ｌｙ＿ｒをｙ方向に平行な直線によって構成しているためである。
【００５３】
ここで、表示パネル３の狭ベゼル化が進展してベゼル領域３ｂが狭くなると、センサパネル５用の配線の一部をベゼル領域３ｂ内に配置される導電性部品と重畳する位置に配置せざるを得ない場合が生じ得る。ここでいう導電性部品には、表示パネル３のメタルフレーム、無線ＬＡＮのアンテナケーブル、カメラモジュールなど各種の部品が含まれ得る。図５には、一例として、図２にも示したメタルフレーム２２の位置を破線で示している。
【００５４】
センサパネル５用の配線が導電性部品と重畳する位置に配置されると、配線と導電性部品との間に静電容量が発生するため、配線を流れる電流の一部が導電性物質側に流れることになる。したがって、もし仮に配線ごとに導電性部品との重なりの程度が異なるとすると、センサコントローラ４に供給されるペン信号の分布から均一性が損なわれる可能性がある。
【００５５】
図５の例で言えば、図示した７本の配線Ｌｙ１〜Ｌｙ７のうち配線Ｌｙ３，Ｌｙ４のルーティング線Ｌｙ＿ｒはその全体でメタルフレーム２２と重畳しているのに対し、配線Ｌｙ１，Ｌｙ２，Ｌｙ５〜Ｌｙ７のルーティング線Ｌｙ＿ｒはメタルフレーム２２と全く重畳していない。このような場合、配線Ｌｙ３，Ｌｙ４を流れる電流がメタルフレーム２２に大きく吸収されるのに対し、配線Ｌｙ１，Ｌｙ２，Ｌｙ５〜Ｌｙ７を流れる電流はメタルフレーム２２にあまり吸収されない。したがって、配線Ｌｙ３，Ｌｙ４を通ってセンサコントローラ４に供給されるペン信号と、配線Ｌｙ１，Ｌｙ２，Ｌｙ５〜Ｌｙ７を通ってセンサコントローラ４に供給されるペン信号との間で、均一性が損なわれる結果となる。
【００５６】
本発明の第１の側面によれば、このような均一性の毀損が防止される。以下、本発明の第１の側面におけるセンサパネル５の構成について、詳しく説明する。
【００５７】
図４は、図１に示したセンサパネル５の一部分（領域５ｂｘの一部及びその近傍）を拡大した図である。ただし、同図は、図１に示したセンサパネル５の構成要素から本発明の第２及び第３の側面にかかる構成要素を取り除いた模式的なものとなっている。
【００５８】
図４に示すように、本実施の形態によるセンサパネル５では、複数の配線Ｌｙそれぞれの基幹線Ｌｙ＿ｃの長さが互いに略等しい値に設定される。ここで「略等しい値」というのは、配線Ｌｙの形成時に生じ得る誤差（パターニングのずれなど）の範囲内で等しいことを意味する。また、複数の配線Ｌｙそれぞれの基幹線Ｌｙ＿ｃの長さを互いに略等しい値としつつも各配線Ｌｙを互いに交差することなく配置可能とするため、各配線Ｌｙのルーティング線Ｌｙ＿ｒに、それぞれｙ方向に延在し、かつ、ｘ方向の位置が互いに異なる複数の直線部分が設けられる。より具体的に言えば、図４に示すように、各ルーティング線Ｌｙ＿ｒが階段状に延設される。
【００５９】
このような構成を採用することで、図５に示した背景技術や特許文献２の図１に記載の構成のように複数の配線Ｌｙそれぞれの基幹線Ｌｙ＿ｃの長さが互いに大きく異なる場合に比べ、本実施の形態では、複数の配線Ｌｙのそれぞれと、ベゼル領域３ｂ内に配置され得る導電性部品との重なりの程度を均質化することが可能になる。したがって、センサコントローラ４に供給されるペン信号の分布から均一性が損なわれるという、表示パネル３の狭ベゼル化に伴って発生し得る問題を、解決ないし軽減することが可能になる。
【００６０】
この効果について、図４の例を参照しながら具体的に説明すると、図４の例では、図示した７本の配線Ｌｙ１〜Ｌｙ７のうち配線Ｌｙ３〜Ｌｙ７のそれぞれが、一部分ずつメタルフレーム２２と重畳している。したがって、図５の例に比べると、各配線Ｌｙを通ってセンサコントローラ４に供給されるペン信号の分布の均一性が確保されていると言える。
【００６１】
ここで、図４及び図５には配線Ｌｙのみを示したが、配線Ｌｘについても同様である。すなわち、図３に示すように、複数の配線Ｌｘはそれぞれ、対応する線状電極５ｙに直接接続される基幹線（第２の基幹線）に対して０度でない角度（具体的には９０度）をなして接続されるルーティング線（第２のルーティング線）を有して構成される。そして、このルーティング線は、それぞれｘ方向に延在し、かつ、ｙ方向の位置が互いに異なる複数の直線部分を有して構成され、より具体的には階段状に延設される。これにより、配線Ｌｘに関しても、センサコントローラ４に供給されるペン信号の分布から均一性が損なわれるという、表示パネル３の狭ベゼル化に伴って発生し得る問題を、解決ないし軽減することが可能になる。
【００６２】
以上説明したように、本発明の第１の側面によれば、複数の配線Ｌｙそれぞれの基幹線Ｌｙ＿ｃの長さが互いに大きく異なる場合に比べ、複数の配線Ｌｙのそれぞれと、ベゼル領域３ｂ内に配置され得る導電性部品との重なりの程度を揃えることが可能になる。配線Ｌｘについても、同様である。したがって、センサコントローラ４に供給されるペン信号の分布から均一性が損なわれるという、表示パネル３の狭ベゼル化に伴って発生し得る問題を、解決ないし軽減することが可能になる。
【００６３】
なお、図３に示すように、領域５ｂｙ内においても、各配線Ｌｙを領域５ｂｘ内と同様の階段状に形成することが好ましい。こうすることで、領域５ｂｙ内において各配線Ｌｙが導電性部品と重畳して配置された場合においても、センサコントローラ４に供給されるペン信号の分布から均一性が損なわれる可能性を低減することが可能になる。また、領域５ｂｙ内において、複数の配線Ｌｘ、複数の配線Ｌｙ、及びガード配線ＬＧを平行に形成することが可能になるので、これらの配線間に発生する静電容量を均一にすることが可能になる。
【００６４】
また、上記の効果を得るために必要なルーティング線の形状は、図３及び図４に示したような階段状のものに限定されない。
【００６５】
例えば、図６は、本実施の形態の第１の変形例によるセンサパネル５の一部分を拡大した図である。同図に示す例では、各配線Ｌｙのルーティング線のうち領域５ｂｘ内に形成される部分はｙ方向に対して傾斜する直線部分を有して構成され、領域５ｂｙ内に形成される部分はｘ方向に対して傾斜する直線部分を有して構成される。また、各配線Ｌｘのルーティング線もｘ方向に対して傾斜する直線部分を有して構成される。各配線Ｌｘ，Ｌｙに対応する基幹線の長さは０に設定されている。具体的な傾斜角は、後述する第２の側面によりピッチを変更する部分と、領域５ｂｘと領域５ｂｙの間の領域とを除き、一定である。
【００６６】
こうすることによっても、図３に示した例と同様に、センサコントローラ４に供給されるペン信号の分布から均一性が損なわれるという、表示パネル３の狭ベゼル化に伴って発生し得る問題を、解決ないし軽減することが可能になる。また、領域５ｂｙ内における各配線Ｌｙのルーティング線のｘ方向に対する傾斜角を各配線Ｌｘのルーティング線のｘ方向に対する傾斜角と同じ値とすることにより、領域５ｂｘ内において、複数の配線Ｌｘ、複数の配線Ｌｙ、及びガード配線ＬＧを平行に形成することが可能になるので、これらの配線間に発生する静電容量を均一にすることが可能になる。
【００６７】
なお、図６には基幹線Ｌｙ＿ｃの長さを０とした構成を示したが、基幹線Ｌｙ＿ｃの長さを０より大きい値に設定してもよいのは勿論である。この点について、図７を参照して説明する。
【００６８】
図７は、本実施の形態の第２の変形例によるセンサパネル５の一部分を拡大した図である。同図に示す例は、基幹線の長さを０より大きくした点に加え、後述する本発明の第３の側面による構成を備える点で、図６に示した第１の変形例と相違している。各配線Ｌｘ，Ｌｙにおける基幹線とルーティング線の接続角度は、ルーティング線の傾斜のために９０度よりも大きな値となっている。このように、基幹線の長さを０より大きい値に設定することで、本発明の第１及び第３の側面を組み合わせて利用することが可能になる。
【００６９】
例えば、図８は、図４に示した構成に本発明の第３の側面による構成を加えてなるセンサパネル５の例を示す図である。この例でも基幹線の長さは０より大きい値に設定されており、したがって、第３の側面を組み合わせることが可能となっている。なお、図８に示したセンサパネル５の構成は、後ほど説明する図１１に記載の構成と同一である。
【００７０】
次に、本発明の第２の側面について、詳しく説明する。第２の側面は、表示パネル３の狭ベゼル化に伴い、配線ピッチが小さくなってセンサパネル５の歩留まりの低下が懸念される、という問題を解決するものである。以下、図３を参照しながら、本発明の第２の側面について説明する。
【００７１】
図３に示すように、本実施の形態による複数の配線Ｌｙは、領域５ｂｘ内に、第１のピッチＰ１で平行に延設された部分（符号Ａで示した部分。以下、第１のピッチＰ１で平行に延設された部分を「大ピッチ部分」と称する）と、第１のピッチＰ１より小さい第２のピッチＰ２で平行に延設された部分（符号Ａで示した部分以外の部分。以下、第２のピッチＰ２で平行に延設された部分を「小ピッチ部分」と称する）とを有して構成される。別の言い方をすれば、複数の配線Ｌｙは、ｙ方向に延設された部分に、大ピッチ部分及び小ピッチ部分を有して構成される。小ピッチ部分は、大ピッチ部分に比べて複数のＦＰＣ接続端子Ｔｙに近い部分に形成される。また、大ピッチ部分においては、線幅及び線間スペースの両方が小ピッチ部分よりも大きい値に設定される。
【００７２】
また、本実施の形態による複数の配線Ｌｘは、領域５ｂｙ内に、大ピッチ部分（符号Ｂで示した部分）及び小ピッチ部分（符号Ｂで示した部分以外の部分）を有して構成される。この場合の小ピッチ部分は、大ピッチ部分に比べて複数のＦＰＣ接続端子Ｔｘに近い部分に形成される。
【００７３】
配線Ｌｘ，Ｌｙを以上のように形成したことにより、本実施の形態によるセンサパネル５では、並行して延設される配線の本数が相対的に多い領域（すなわち、スペースに余裕のない領域）では相対的に狭いピッチで配線を延設し、並行して延設される配線の本数が相対的に少ない領域（すなわち、スペースに余裕のある領域）では相対的に広いピッチで配線を延設することが可能となっている。したがって、歩留まり低下の原因となる狭ピッチでの配線形成を最小限に抑えることが可能になるので、センサパネル５の歩留まりの低下が懸念されるという、表示パネルの狭ベゼル化に伴って発生し得る問題を、解決ないし軽減することが可能になる。
【００７４】
なお、領域５ｂｙにおいては、図３に示すように、複数の配線Ｌｙにも大ピッチ部分（符号Ｂで示した部分）及び小ピッチ部分（符号Ｂで示した部分以外の部分）を設けることが好ましい。こうすることで、領域５ｂｙのうち並行して形成される配線Ｌｘが少ない領域においては、配線Ｌｘだけでなく配線Ｌｙについても、相対的に大きなピッチで形成することが可能になる。したがって、センサパネル５の歩留まりをさらに向上することが可能になる。
【００７５】
以上説明したように、本発明の第３の側面によれば、スペースに余裕のある部分では、第２のピッチＰ２よりも大きい第１のピッチＰ１で複数の配線Ｌｘ，Ｌｙを形成することが可能になる。したがって、センサパネル５の歩留まりの低下が懸念されるという、表示パネル３の狭ベゼル化に伴って発生し得る問題を、解決ないし軽減することが可能になる。
【００７６】
ここで、配線ピッチの値は、単位長さ当たりの配線間容量に影響する。したがって、上記のように配線Ｌｘ，Ｌｙに大ピッチ部分及び小ピッチ部分を設けることとすると、大ピッチ部分と小ピッチ部分とで、単位長さ当たりの配線間容量が異なることになる可能性がある。このような配線間容量の相違はセンサコントローラ４に供給されるペン信号の品質を一定に保つうえで好ましくないので、本実施の形態によるセンサパネル５ではさらに、大ピッチ部分と小ピッチ部分とで単位長さ当たりの配線間容量が実質的に同じ値になるよう、大ピッチ部分と小ピッチ部分のそれぞれにおける配線Ｌｘの線幅と線間スペースの比率を設定している。なお、ここでいう「実質的に同じ値」には、実用上問題がない程度に配線間容量の値が近くなっている状態を含む。以下、図９及び図１０を参照しながら詳しく説明する。
【００７７】
まず図９（ａ）は、第１のピッチＰ１で延設された配線Ｌｙの断面を示す図であり、図９（ｂ）は、第２のピッチＰ２で延設された配線Ｌｙの断面を示す図である。これらの図に矢印付きの破線で示すように、近傍に配置された複数の配線Ｌｙ間には配線間容量が形成される。そして、この配線間容量の具体的な値は、配線ピッチが第１のピッチＰ１である場合と、配線ピッチが第２のピッチＰ２である場合とで異なり得るが、線幅と線間スペースの比率を適切に選択することにより、配線ピッチが第１のピッチＰ１である場合と、配線ピッチが第２のピッチＰ２である場合とで配線間容量の値を揃えることが可能になる。
【００７８】
図１０は、配線ピッチが第１のピッチＰ１である場合と、配線ピッチが第２のピッチＰ２である場合とのそれぞれにつき、線幅Ｗと線間スペースＳの比率（Ｗ／Ｓ）と、配線間容量の値との関係を示した図である。同図には、第１のピッチＰ１を６０μｍとし、第２のピッチＰ２を４０μｍとした場合を示している。
【００７９】
図１０に示すように、配線間容量の値は、配線ピッチが第１のピッチＰ１である場合と、配線ピッチが第２のピッチＰ２である場合とのいずれにおいても、線幅Ｗにほぼ比例して増加する。比例係数はピッチによって異なるが、図１０から、配線間容量の値の範囲は、ピッチによらずほぼ同等になることが理解される。例えば、ピッチが第１のピッチＰ１であって線幅Ｗが２３μｍである場合（すなわち、線幅Ｗ１と線間スペースＳ１の比率が２３／３７である場合）の配線間容量は５３．８ｆＦ／ｍｍであり、ピッチが第２のピッチＰ２であって線幅Ｗが１５μｍである場合（すなわち、線幅Ｗ２と線間スペースＳ２の比率が１５／２５である場合）の配線間容量は５３．６ｆＦ／ｍｍであり、これらは互いにほぼ等しい値となっている。したがって、例えば、６０μｍのピッチで配線が形成される大ピッチ部分における線幅Ｗ１と線間スペースＳ１の比率を２３／３７とし、４０μｍのピッチで配線が形成される小ピッチ部分における線幅Ｗ２と線間スペースＳ２の比率を１５／２５とすることにより、大ピッチ部分と小ピッチ部分とで単位長さ当たりの配線間容量の値を実質的に同じ値とすることが可能になる。
【００８０】
なお、線幅Ｗと線間スペースＳの比率と配線間容量の値との関係（特に比例係数）、及び、配線間容量の具体的な値は、図２に示した粘着シート２３，２５の誘電率などによって変化する。したがって、大ピッチ部分と小ピッチ部分とで単位長さ当たりの配線間容量の値を実質的に同じ値とするために必要となる具体的な線幅Ｗと線間スペースＳの比率は、使用する材料などに応じて製品ごとに検討すべきものである。
【００８１】
次に、本発明の第３の側面について、詳しく説明する。第３の側面は、表示パネル３の狭ベゼル化に伴ってベゼル領域３ｂ内に電極を延設することが困難になる結果として、表示領域３ａの外縁近傍におけるアクティブペン１０の位置検出精度が低下する、という問題を解決するものである。以下、図３、図１１、及び図１２を参照しながら、本発明の第３の側面について説明する。
【００８２】
初めに、本発明の第３の側面に対応する背景技術の課題について、詳しく説明する。
【００８３】
図１２（ａ）は、図４にも示した本発明の実施の形態の第１の側面によるセンサパネル５の一部分（領域５ｂｘの一部及びその近傍）を拡大した図であり、図１２（ｂ）は、図１２（ａ）のセンサパネル５における電極間信号強度分布を示す図である。図１２（ａ）から理解されるように、本発明の第３の側面においては、本発明の第１の側面による構成が背景技術の一例となる。
【００８４】
図１２（ａ）に示すように、背景技術によるセンサパネル５では、複数の配線Ｌｙはそれぞれ、対応する線状電極５ｙのｘ方向の一端を構成する表面５ｙａの中央で、該線状電極５ｙに接続される。そして、そこから上述した基幹線Ｌｙ＿ｃ及びルーティング線Ｌｙ＿ｒを経て、図３に示したＦＰＣ接続端子Ｔｙに接続される。基幹線Ｌｙ＿ｃは、ｘ方向に平行に延設される。以下、並べて配置される４つの線状電極５ｙである線状電極５ｙ１〜５ｙ４と、それぞれに対応する配線Ｌｙである配線Ｌｙ１〜Ｌｙ４とに着目して説明を続ける。
【００８５】
図１２（ｂ）には、アクティブペン１０のペン先が図１２（ａ）に示したように線状電極５ｙ２のｘ方向一端部のｙ方向中央部に接近している場合における電極間信号強度分布を示している。同図に示すように、この場合の各線状電極５ｙ１〜５ｙ４におけるペン信号の強度は、線状電極５ｙ２，５ｙ３，５ｙ１，５ｙ４の順で弱くなる。
【００８６】
ここで、センサコントローラ４は、例えばアクティブペン１０のｙ座標を検出する場合、上述したように、１つだけでなく複数の線状電極５ｙのそれぞれでペン信号（より具体的には、ペン信号に含まれる位置信号）を受信し、その結果に基づいてアクティブペン１０の指示位置を検出するよう構成される。これは、隣接する線状電極５ｙ間のｙ座標をも検出できるようにするためで、具体的には、複数の線状電極５ｙのそれぞれで受信したペン信号の受信強度を所定の補間法を用いて補間することによって、ｙ座標を導出するよう構成される。したがって、図１２（ａ）に示したようにアクティブペン１０のペン先が線状電極５ｙ２のｘ方向一端部のｙ方向中央部に接近している場合であれば、アクティブペン１０の位置を精度良く導出するためには、線状電極５ｙ１，５ｙ３におけるペン信号の受信強度が等しくなっている必要がある。
【００８７】
しかしながら、図１２（ｂ）を見ると明らかなように、線状電極５ｙ１，５ｙ３におけるペン信号の受信強度は等しくなっていない。したがって、センサコントローラ４は、図１２（ａ）の例によるアクティブペン１０の位置を精度良く導出できないことになる。このような結果となるのは、表示パネル３を狭ベゼル化した結果、ベゼル領域３ｂ内に線状電極５ｙの延設スペースを確保することが困難になり、その結果として、配線Ｌｙにおけるペン信号の受信分が信号強度に含まれてしまっているからである。
【００８８】
本発明の第３の側面によれば、このような位置検出精度の低下が防止される。以下、本発明の第３の側面におけるセンサパネル５の構成について、詳しく説明する。
【００８９】
図１１（ａ）は、図１に示したセンサパネル５の一部分（領域５ｂｘの一部及びその近傍）を拡大した図であり、図１１（ｂ）は、図１１（ａ）のセンサパネル５における電極間信号強度分布を示す図である。ただし、図１１（ａ）は、図１に示したセンサパネル５の構成要素から本発明の第２の側面にかかる構成要素を取り除いた模式的なものとなっている。
【００９０】
図１１（ａ）に示すように、本実施の形態による配線Ｌｙの基幹線Ｌｙ＿ｃは、対応する線状電極５ｙのｘ方向の一端を構成する表面５ｙａのうちＦＰＣ接続端子Ｔｙから遠い側の端部において、該線状電極５ｙに接続されている。そして、本実施の形態による配線Ｌｙは、ｙ方向に見て、対応する線状電極５ｙとの接続点よりもＦＰＣ接続端子Ｔｙから遠い領域に、延長線Ｌｙ＿ｅを有している。各延長線Ｌｙ＿ｅは、ｙ方向に延在する直線形状で形成されており、対応する基幹線Ｌｙ＿ｃの中央部から突出する形となっている。各延長線Ｌｙ＿ｅの長さは、対応する線状電極５ｙに隣接する他の線状電極５ｙとｘ方向から見て重なるように設定される。なお、図１１（ａ）にも示すように、ＦＰＣ接続端子Ｔｙから最も遠い配線Ｌｙには、延長線Ｌｙ＿ｅを設けなくてもよい。
【００９１】
図１１（ｂ）に示した電極間信号強度分布は、図１２（ｂ）の例と同様、アクティブペン１０のペン先が線状電極５ｙ２のｘ方向一端部のｙ方向中央部に接近している場合のものである。同図に示すように、本実施の形態によるセンサパネル５においては、この場合における線状電極５ｙ１，５ｙ３でのペン信号の受信強度が、略同じ値となっている。これは、配線Ｌｙを上記のように構成したことにより、配線Ｌｙ１での受信分が増加する一方、配線Ｌｙ３での受信分が減少したことによるものである。このように線状電極５ｙ１，５ｙ３におけるペン信号の受信強度が等しくなった結果として、本実施の形態によれば、図１２に示した背景技術に比べて、表示領域３ａの外縁近傍におけるアクティブペン１０の位置検出精度が向上する。したがって、表示領域３ａの外縁近傍におけるアクティブペン１０の位置検出精度が低下するという、表示パネル３の狭ベゼル化に伴って発生し得る問題を、解決ないし軽減することが可能になる。
【００９２】
ここで、図１１及び図１２には配線Ｌｙのみを示したが、配線Ｌｘについても同様である。すなわち、図３に示すように、本実施の形態による配線Ｌｘの基幹線は、対応する線状電極５ｘのｙ方向の一端を構成する表面のうちＦＰＣ接続端子Ｔｘから遠い側の端部において、該線状電極５ｘに接続されている。そして、本実施の形態による配線Ｌｘは、ｘ方向に見て、対応する線状電極５ｘとの接続点よりもＦＰＣ接続端子Ｔｘから遠い領域に、延長線を有している。各延長線は、ｘ方向に延在する直線形状で形成されており、対応する基幹線の中央部から突出する形となっている。各延長線の長さは、対応する線状電極５ｘに隣接する他の線状電極５ｘとｙ方向から見て重なるように設定される。なお、図３にも示すように、ＦＰＣ接続端子Ｔｘから遠い配線Ｌｘには、延長線を設けなくてもよい。
【００９３】
配線Ｌｘをこのように構成することで、アクティブペン１０のペン先が線状電極５ｘのｙ方向一端部のｘ方向中央部に接近している場合に関しても、上記同様に、表示領域３ａの外縁近傍におけるアクティブペン１０の位置検出精度を向上することが可能になる。
【００９４】
以上説明したように、本発明の第３の側面によれば、アクティブペン１０が表示領域３ａの外縁近傍にあり、線状電極５ｘ，５ｙだけでなく配線Ｌｘ，Ｌｙで受信されたペン信号をも位置検出に使用する場合であっても、線状電極５ｘ，５ｙのみでペン信号を受信する場合と同等の電極間信号強度分布を得ることが可能になる。したがって、表示領域３ａの外縁近傍におけるアクティブペン１０の位置検出精度が低下するという、表示パネル３の狭ベゼル化に伴って発生し得る問題を、解決ないし軽減することが可能になる。
【００９５】
なお、図１１では、本発明の第１の側面によるセンサパネル５に本発明の第３の側面による構成を加えたものを説明したが、第１の側面の構成を有しないセンサパネル５に延長線を加えることによって本発明の第３の側面を構成することも勿論可能である。
【００９６】
例えば、図１３は、図５に示した本発明の背景技術に本発明の第３の側面による構成を加えることによって構成したセンサパネル５の一部分を拡大した図である。同図に示すように、本発明の第３の側面は、基幹線Ｌｙ＿ｃの長さが一定でない背景技術にかかるセンサパネル５にも適用することが可能である。
【００９７】
また、上記の効果を得るために必要な配線Ｌｘ，Ｌｙの具体的な形状は、図３、図１１、及び図１３に示した形状に限定されない。
【００９８】
例えば、図１４は、本実施の形態の第３の変形例によるセンサパネル５の一部分を拡大した図である。同図に示す例では、各延長線Ｌｙ＿ｅは、対応する線状電極５ｙから見て２つ隣に隣接する他の線状電極５ｙ（例えば、線状電極５ｙ２に対して線状電極５ｙ４）とｘ方向から見て重なるように形成される。より具体的には、各配線Ｌｙのルーティング線Ｌｙ＿ｒが基幹線Ｌｙ＿ｃよりもＦＰＣ接続端子Ｔｙから離れた領域内にまで迂回して形成されており、各延長線Ｌｙ＿ｅは、こうして迂回したルーティング線Ｌｙ＿ｒよりもＦＰＣ接続端子Ｔｙからさらに離れた領域に延設されている。延長線Ｌｙ＿ｅと配線Ｌｙのその他の部分との接続点は、ルーティング線Ｌｙ＿ｒのうちＦＰＣ接続端子Ｔｙからｙ方向に最も離れた位置に設けられる。こうすることによっても、図３に示した例と同様に、表示領域３ａの外縁近傍におけるアクティブペン１０の位置検出精度が低下するという、表示パネル３の狭ベゼル化に伴って発生し得る問題を、解決ないし軽減することが可能になる。なお、図１４の構成を配線Ｌｘにも適用してよいのは、勿論である。
【００９９】
以上、本発明の好ましい実施の形態について説明したが、本発明はこうした実施の形態に何等限定されるものではなく、本発明が、その要旨を逸脱しない範囲において、種々なる態様で実施され得ることは勿論である。
【０１００】
例えば、上記実施の形態でもいくつか触れたが、本発明によるセンサパネルは本発明の第１〜第３の側面のうちの１つ、２つ、又はすべてを満たすように構成することが可能であり、いずれのセンサパネルも本発明の技術的範囲に含まれる。
【０１０１】
また、ルーティング線は必ずしも対応する線状電極と同じ平面にあることを要せず、ベゼルの形状に沿って曲面上に構成されていたり、所定の角度をなす方向に設けられていたりしてもよい。
【０１０２】
さらに、ベゼルや液晶パネル等の構造に基づいて、発明に例外部分を含み得ることはいうまでもない。例えば、本発明の第１の側面に関して、全ての線状電極において基幹線の長さが等しいことは必須ではなく、構造上あるいは電気的な制約のため、他の基幹線の長さと異なる基幹線が一部に含まれていてもよい。
【符号の説明】
【０１０３】
１                    電子機器
２                    ホストコントローラ
３                    表示パネル
３ａ                  表示領域
３ｂ                  ベゼル領域
４                    センサコントローラ
５                    センサパネル
５ａ                  検出領域
５ｂ                  配線領域
５ｂｘ                配線領域５ｂのうち検出領域５ａとｘ方向に隣接する領域
５ｂｙ                配線領域５ｂのうち検出領域５ａとｙ方向に隣接する領域
５ｘ，５ｙ            線状電極
１０                  アクティブペン
２１                  液晶モジュール
２２                  メタルフレーム
２３                  粘着シート
２４                  フィルム
２５                  粘着シート
２６                  カバーガラス
２６ａ                タッチ面
ＬＧ                  ガード配線
Ｌｘ，Ｌｙ            配線
Ｌｙ＿ｃ              配線Ｌｙの基幹線
Ｌｙ＿ｅ              配線Ｌｙの延長線
Ｌｙ＿ｒ              配線Ｌｙのルーティング線
Ｔ，Ｔｘ，Ｔｙ，ＴＧ  ＦＰＣ接続端子
【図１】
2020123395.tif 000003
【図２】
2020123395.tif 000004
【図３】
2020123395.tif 000005
【図４】
2020123395.tif 000006
【図５】
2020123395.tif 000007
【図６】
2020123395.tif 000008
【図７】
2020123395.tif 000009
【図８】
2020123395.tif 000010
【図９】
2020123395.tif 000011
【図１０】
2020123395.tif 000012
【図１１】
2020123395.tif 000013
【図１２】
2020123395.tif 000014
【図１３】
2020123395.tif 000015
【図１４】
2020123395.tif 000016